(57)【要約】      （修正有）【課題】収納スペースのレイアウトの自由度の高い組み立て家具を提供する。【解決手段】本発明は、第一方向において対向する一対の第一壁板部５１、及び第一方向と直交する第二方向において対向し且つ一対の第一壁板部５１における対応する端部同士をそれぞれ接続する一対の第二壁板部５２を有する本体５をそれぞれ有する複数の家具構成品２を備え、複数の家具構成品２のうちの少なくとも一つの家具構成品２は、第一方向と直交する面方向又は第二方向と直交する面方向に広がって一対の第一壁板部５１及び一対の第二壁板部５２によって囲まれた収納空間を区分けする少なくとも一つの区分け板７を有する。【選択図】図５
2017038675.tif 000002
【特許請求の範囲】
【請求項１】
所定の方向である第一方向において対向する一対の第一壁板部、及び第一方向と直交する第二方向において対向し且つ前記一対の第一壁板部における対応する端部同士をそれぞれ接続する一対の第二壁板部を有する本体であって、第一方向及び第二方向が上下方向と一致するように配置可能な本体をそれぞれ有する複数の家具構成品を備え、
前記複数の家具構成品のうちの少なくとも一つの家具構成品は、第一方向と直交する面方向又は第二方向と直交する面方向に広がって前記一対の第一壁板部及び前記一対の第二壁板部によって囲まれた収納空間を区分けする少なくとも一つの区分け板を有する、組み立て家具。
【請求項２】
前記複数の家具構成品のうちの少なくとも一つの家具構成品の前記本体において、第一方向の外寸は、第二方向の外寸と異なる、請求項１に記載の組み立て家具。
【請求項３】
前記複数の家具構成品の各本体は、前記第一壁板部同士又は前記第一壁板部と前記第二壁板部とが接するように組み合わされたときの当該複数の家具構成品全体の輪郭が四角形となるような第一方向の外寸と第二方向の外寸とを有する、請求項１又は２に記載の組み立て家具。
【請求項４】
前記家具構成品の数は、五つであり、
前記五つの家具構成品の前記本体のそれぞれは、異なる外寸を有する、請求項３に記載の組み立て家具。
【請求項５】
前記五つの家具構成品は、隣り合う辺の長さが９５０ｍｍと１５２０ｍｍの四角形の前記輪郭、及び隣り合う辺の長さが７６０ｍｍと１９００ｍｍの四角形の前記輪郭となるように組み合わせ可能である、請求項４に記載の組み立て家具。
【請求項６】
前記本体における前記区分け板によって区分けされた収納空間に配置される少なくとも一つの引き出しを備え、
前記複数の家具構成品は、第一方向が上下方向に一致するように配置した状態で前記引き出しが配置可能な家具構成品と、第二方向が上下方向に一致するように配置した状態で前記引き出しが配置可能な家具構成品と、を含む、請求項１〜５のいずれか１項に記載の組み立て家具。
【請求項７】
前記引き出しが配置可能な収納空間の第一方向の寸法と第二方向の寸法とは異なる、請求項６に記載の組み立て家具。
【請求項８】
天板を有する机を備え、
前記天板の高さと、前記第一壁板部同士又は前記第一壁板部と前記第二壁板部とが接するように組み合わされた状態の前記複数の家具構成品のいずれかの前記第一壁板部、前記第二壁板部、又は前記区分け板の高さとは、同じである、請求項１〜７のいずれか１項に記載の組み立て家具。
【発明の詳細な説明】
【技術分野】
【０００１】
本発明は、複数の家具構成品を組み合わせて使用する組み立て家具に関する。
【背景技術】
【０００２】
従来から、組み立て家具として特許文献１に記載のものが知られている。この組み立て家具は、上下方向に延びる四本の柱と、四隅が各柱の下端部に固定される矩形の底板と、四隅が各柱の上端部に固定される矩形の天板と、四隅が各柱に係止された状態で前記天板と前記底板との間に配置される複数の矩形の棚板と、を備える。この組み立て家具において、各柱は、上下方向に間隔を空けて設けられた複数の溝を有し、前記棚板が該溝に嵌め込まれることで該棚板を係止する。これにより、前記組み立て家具では、棚板の高さ位置を変更して、収納スペースの上下方向の大きさを変更できる。
【先行技術文献】
【特許文献】
【０００３】
【特許文献１】実用新案登録第３０４０９４７号
【発明の概要】
【発明が解決しようとする課題】
【０００４】
上記の組み立て家具では、収納スペースの上下方向の大きさしか変更できないが、近年、収納スペースを有する棚等の家具において、収納スペースのレイアウトの自由度のさらなる向上が望まれている。
【０００５】
そこで、本発明は、収納スペースのレイアウトの自由度の高い組み立て家具を提供することを課題とする。
【課題を解決するための手段】
【０００６】
本発明に係る組み立て家具は、所定の方向である第一方向において対向する一対の第一壁板部、及び第一方向と直交する第二方向において対向し且つ前記一対の第一壁板部における対応する端部同士をそれぞれ接続する一対の第二壁板部を有する本体であって、第一方向及び第二方向が上下方向と一致するように配置可能な本体をそれぞれ有する複数の家具構成品を備え、前記複数の家具構成品のうちの少なくとも一つの家具構成品は、第一方向と直交する面方向又は第二方向と直交する面方向に広がって前記一対の第一壁板部及び前記一対の第二壁板部によって囲まれた収納空間を区分けする少なくとも一つの区分け板を有する。
【０００７】
かかる構成によれば、複数の家具構成品のそれぞれを第一方向又は第二方向が上下方向と一致するような姿勢で配置して組み合わせることで、各家具構成品の姿勢の違いにより収納空間の形状等が変更され、また、前記姿勢の違いにより区分け板が棚板となったり仕切り板となったりするため、収納スペースのレイアウトを容易に変更することができる（即ち、収納スペースのレイアウトの自由度が向上する）。
【０００８】
また、前記組み立て家具では、収納スペースのレイアウトの自由度をより向上させるために、前記複数の家具構成品のうちの少なくとも一つの家具構成品の前記本体において、第一方向の外寸は、第二方向の外寸と異なる、即ち、少なくとも一つの家具構成品の本体が長方形の外観（輪郭）を有していてもよい。
【０００９】
また、前記組み立て家具では、前記複数の家具構成品の各本体が、前記第一壁板部同士又は前記第一壁板部と前記第二壁板部とが接するように組み合わされたときの当該複数の家具構成品全体の輪郭が四角形となるような第一方向の外寸と第二方向の外寸とを有してもよい。
【００１０】
当該組み立て家具は、複数の家具構成品（本体）を組み合わせて（即ち、並べたり積み上げたりして）使用されるが、上記の構成によれば、通常の家具（棚等）と同様に、外観（複数の家具構成品全体の輪郭）が四角形の家具として使用することができる。
【００１１】
この場合、前記家具構成品の数が、五つであり、前記五つの家具構成品の前記本体のそれぞれが、異なる外寸を有していてもよい。このように、五つの家具構成品の本体のそれぞれが異なる外寸（第一方向の外寸、第二方向の外寸等）を有していても、組み合わされたときの複数の家具構成品全体の輪郭を四角形にすることができる。
【００１２】
例えば具体的には、前記五つの家具構成品は、隣り合う辺の長さが９５０ｍｍと１５２０ｍｍの四角形の前記輪郭、及び隣り合う辺の長さが７６０ｍｍと１９００ｍｍの四角形の前記輪郭となるように組み合わせ可能である。
【００１３】
また、前記組み立て家具は、前記本体における前記区分け板によって区分けされた収納空間に配置される少なくとも一つの引き出しを備え、前記複数の家具構成品は、第一方向が上下方向に一致するように配置した状態で前記引き出しが配置可能な家具構成品と、第二方向が上下方向に一致するように配置した状態で前記引き出しが配置可能な家具構成品と、を含んでもよい。
【００１４】
かかる構成によれば、複数の家具構成品を配置したときに、いずれかの家具構成品に引き出しを配置することができる。即ち、第一方向が上下方向に一致するように配置された家具構成品を第二方向が上下方向に一致するように配置（即ち、所定の家具構成品を横倒しに）したことで、該家具構成品に配置されていた引き出しが使用できなくなっても、該引き出しを他の家具構成品に配置して使用することができる。
【００１５】
この場合、前記引き出しが配置可能な収納空間の第一方向の寸法と第二方向の寸法とは異なっていてもよい。このように、前板が長方形の引き出しであっても、該引き出しの配置された家具構成品の姿勢を変えて該引き出しが使用できなくなったときに、該引き出しを他の家具構成品に配置して使用することができる。
【００１６】
前記組み立て家具は、天板を有する机を備え、前記天板の高さと、前記第一壁板部同士又は前記第一壁板部と前記第二壁板部とが接するように組み合わされた状態の前記複数の家具構成品のいずれかの前記第一壁板部、前記第二壁板部、又は前記区分け板の高さとは、同じであってもよい。
【００１７】
かかる構成によれば、机の天板と、該天板と同じ高さの第一壁板部、第二壁板部、又は区分け板と、が接するように複数の家具構成品及び机を配置することによって、机上での作業スペースを、該机の天板に接する第一壁板部、第二壁板部、又は区分け板の分だけ大きくすることができる。
【発明の効果】
【００１８】
以上より、本発明によれば、収納スペースのレイアウトの自由度の高い組み立て家具を提供することができる。
【図面の簡単な説明】
【００１９】
【図１】図１は、本実施形態に係る組み立て家具の一配置例を示す斜視図である。
【図２】図２は、前記組み立て家具の他の配置例を示す斜視図である。
【図３】図３は、前記組み立て家具の他の配置例を示す斜視図である。
【図４】図４は、前記組み立て家具の他の配置例を示す斜視図である。
【図５】図５は、前記組み立て家具に用いられる第一構成品の斜視図である。
【図６】図６は、前記組み立て家具に用いられる第二構成品の斜視図である。
【図７】図７は、前記組み立て家具に用いられる第三構成品の斜視図である。
【図８】図８は、前記組み立て家具に用いられる第四構成品の斜視図である。
【図９】図９は、前記組み立て家具に用いられる第五構成品の斜視図である。
【図１０】図１０は、前記組み立て家具に用いられる複数の家具構成品及び引き出しの一配置例を示す正面図である。
【図１１】図１１は、前記複数の家具構成品及び前記引き出しの他の配置例を示す正面図である。
【図１２】図１２は、前記複数の家具構成品及び前記引き出しの他の配置例を示す正面図である。
【図１３】図１３は、前記複数の家具構成品及び前記引き出しの他の配置例を示す正面図である。
【図１４】図１４は、前記複数の家具構成品に配置される第一引き出しの斜視図である。
【図１５】図１５は、前記複数の家具構成品に配置される第二引き出しの斜視図である。
【図１６】図１６は、前記複数の組み立て家具に用いられる机の斜視図である。
【発明を実施するための形態】
【００２０】
以下、本発明の一実施形態について、図１〜図１６を参照しつつ説明する。
【００２１】
本実施形態に係る組み立て家具は、図１〜図４に示すように、複数の家具構成品２と、家具構成品２に配置可能な少なくとも一つの引き出し３と、天板４１を有する机４と、を備える。
【００２２】
複数の家具構成品２は、組み合わせて配置される（並べたり積み上げたりする）ことによって、家具を構成する。本実施形態の複数の家具構成品２は、組み合わせて配置されることによって、棚２０（図１０〜図１３参照）を構成する。具体的に、複数の家具構成品２のそれぞれは、図５〜図９にも示すように、角筒状の本体５と、本体５の一方の開口を塞ぐ背板６と、を有する。また、複数の家具構成品２のうちの少なくとも一つの家具構成品２は、第一方向と直交する面方向又は第二方向と直交する面方向に広がって本体５によって囲まれた収納空間を区分けする少なくとも一つの区分け板７を有する。本実施形態の組み立て家具１では、複数の家具構成品２のそれぞれが、少なくとも一つの区分け板７を有している。
【００２３】
本体５は、間隔をあけて対向する一対の第一壁板部５１と、第一壁板部５１の対向する方向（以下、「第一方向」と称する。）と直交する方向（以下、「第二方向」と称する。）において対向し且つ一対の第一壁板部５１の対応する端部（詳しくは、第一方向において対向する端部）同士をそれぞれ接続する一対の第二壁板部５２と、を有する。第一壁板部５１と第二壁板部５２とは、それぞれ四角形の板状の部位である。このため、本実施形態の本体５は、四角筒状である。
【００２４】
複数の家具構成品２のうちの少なくとも一つの家具構成品２の本体５において、第一方向の外寸は、第二方向の外寸と異なる。即ち、複数の家具構成品２のうちの少なくとも一つの家具構成品２の本体５は、該本体５の開口方向から見て長方形の外観（輪郭）を有する。本実施形態の組み合わせ家具１では、複数の家具構成品２のうちの一部の家具構成品２の本体５は、前記長方形の外観（輪郭）を有し、残りの家具構成品２の本体５は、正方形の外観（輪郭）を有している。
【００２５】
また、複数の家具構成品２は、第一方向が上下方向に一致するように配置した状態で引き出し３が配置可能な家具構成品２と、第二方向が上下方向に一致するように配置した状態で引き出しが配置可能な家具構成品２と、を含んでいる。
【００２６】
また、複数の家具構成品２の各本体５は、第一壁板部５１同士又は第一壁板部５１と第二壁板部５２とが接するように組み合わされたときの当該複数の家具構成品２の全体の輪郭が四角形となるような第一方向の外寸と第二方向の外寸とを有している（図１０〜図１３参照）。
【００２７】
本実施形態の家具構成品２の数は、五つである。これら五つの家具構成品２、即ち、第一構成品２１の本体５、第二構成品２２の本体５、第三構成品２３の本体５、第四構成品２４の本体５、及び第五構成品２５の本体５のそれぞれは、異なる外寸を有している。例えば具体的には、以下の通りである。
【００２８】
第一構成品２１の本体５の第一方向の外寸Ｌ１１は、５７０ｍｍであり、第二方向の外寸Ｌ１２は、３８０ｍｍである。また、第一構成品２１の本体５の奥行き（第一方向及び第二方向と直交する第三方向の外寸）Ｌ１３は、２８０ｍｍである。第二構成品２２の本体５の第一方向の外寸Ｌ２１は、７６０ｍｍであり、第二方向の外寸Ｌ２２は、７６０ｍｍである。また、第二構成品２２の本体５の奥行きＬ２３は、２８０ｍｍである。第三構成品２３の本体５の第一方向の外寸Ｌ３１は、１９０ｍｍであり、第二方向の外寸Ｌ３２は、９５０ｍｍである。また、第三構成品２３の本体５の奥行きＬ３３は、２８０ｍｍである。第四構成品２４の本体５の第一方向の外寸Ｌ４１は、５７０ｍｍであり、第二方向の外寸Ｌ４２は、５７０ｍｍである。また、第四構成品２４の本体５の奥行きＬ４３は、２８０ｍｍである。第五構成品２５の本体５の第一方向の外寸Ｌ５１は、７６０ｍｍであり、第二方向の外寸Ｌ５２は、１９０ｍｍである。また、第五構成品２５の本体５の奥行きＬ５３は、２８０ｍｍである。以上の第一〜第五構成品２１〜２５は、図１０〜図１３に示すように、隣り合う辺の長さが９５０ｍｍと１５２０ｍｍの四角形の輪郭、及び隣り合う辺の長さが７６０ｍｍと１９００ｍｍの四角形の輪郭となるように組み合わせ可能である。
【００２９】
以下、第一〜第五構成品２１〜２５について、詳細に説明する。
【００３０】
第一構成品２１は、図５に示すように、開口側から見た外観（輪郭）が第一方向に長い長方形の本体５と、複数の区分け板７を有する。具体的に、複数の区分け板７は、第一方向と直交する面方向に広がる二つの第一区分け板７１と、第二方向と直交する面方向に広がる一つの第二区分け板７２と、を含む。二つの第一区分け板７１は、それぞれ一対の第二壁板部５２間に掛け渡された状態で第一方向に互いに間隔を空けて配置されている。一つの第二区分け板７２は、二つの第一区分け板７１間を仕切るように二つの第一区分け板７１に掛け渡されている。第一構成品２１の本体５の収納空間は、これら各区分け板７１、７２によって四つの収納空間（第１〜第４分割空間Ｓ１〜Ｓ４）に区分け（分割）されている。
【００３１】
第二構成品２２は、図６に示すように、開口側から見た外観（輪郭）が正方形の本体５と、複数の区分け板７を有する。具体的に、複数の区分け板７は、第一方向と直交する面方向に広がる一つの第一区分け板７１と、第二方向と直交する面方向に広がる一つの第二区分け板７２と、を含む。第一区分け板７１は、第一方向における一対の第一壁板部５１間において該一対の第一壁板部５１間を仕切るように一対の第二壁板部５２に掛け渡されている。第二区分け板７２は、第二方向における一対の第二壁板部５２間において該一対の第二壁板部５２間を仕切るように一対の第一壁板部５１に掛け渡されている。第二構成品２２の本体５の収納空間は、これら各区分け板７１、７２によって四つの収納空間（第５〜第８分割空間Ｓ５〜Ｓ８）に区分け（分割）されている。本実施形態の第二構成品２２では、第５〜第８分割空間Ｓ５〜Ｓ８が同じ大きさとなるように、各区分け板７１、７２が配置されている。
【００３２】
第三構成品２３は、図７に示すように、開口側から見た外観（輪郭）が第二方向に長い長方形の本体５と、複数の区分け板７を有する。具体的に、複数の区分け板７は、第二方向と直交する面方向に広がる二つの第二区分け板７２を含む。二つの第二区分け板７２は、それぞれ一対の第一壁板部５１間に掛け渡された状態で第二方向に互いに間隔を空けて配置されている。第三構成品２３の本体５の収納空間は、これら第二区分け板７２によって三つの収納空間（第９〜第１１分割空間Ｓ９〜Ｓ１１）に区分け（分割）されている。本実施形態の第三構成品２３では、第９分割空間Ｓ９と第１０分割空間Ｓ１０との第二方向の寸法が同じで、第１１分割空間Ｓ１１の第二方向の寸法が第９及び第１０分割空間Ｓ９、Ｓ１０の第二方向の寸法より小さい。
【００３３】
第四構成品２４は、図８に示すように、開口側から見た外観（輪郭）が正方形の本体５と、複数の区分け板７を有する。具体的に、複数の区分け板７は、第一方向と直交する面方向に広がる一つの第一区分け板７１と、第二方向と直交する面方向に広がる一つの第二区分け板７２と、を含む。第一区分け板７１は、一対の第一壁板部５１間を仕切るように一対の第二壁板部５２に掛け渡されている。第二区分け板７２は、第一区分け板７１と第一壁板部５１との間を仕切るように第一区分け板７１と第一壁板部５１とに掛け渡されている。第四構成品２４の本体５の収納空間は、これら各区分け板７１、７２によって三つの収納空間（第１２〜第１４分割空間Ｓ１２〜Ｓ１４）に区分け（分割）されている。
【００３４】
第五構成品２５は、図９に示すように、開口側から見た外観（輪郭）が第一方向に長い長方形の本体５と、区分け板７を有する。具体的に、区分け板７は、第一方向と直交する面方向に広がる第一区分け板７１である。第一区分け板７１は、一対の第一壁板部５１間を仕切るように一対の第二壁板部５２に掛け渡されている。第五構成品２５の本体５の収納空間は、この第一区分け板７１によって二つの収納空間（第１５〜第１６分割空間Ｓ１５〜Ｓ１６）に区分け（分割）されている。
【００３５】
引き出し３は、本体５における区分け板７によって区分けされた収納空間（分割空間）に配置される。本実施形態の引き出し３は、図１４及び図１５に示すように、二種類ある。二種類の引き出しのうちの一方の引き出し（以下では、「第一引き出し」と称する。）３１は、正方形の前板３５及び向板（先板）３６を有する。二種類の引き出しのうちの他方の引き出し（以下では、「第二引き出し」と称する。）３２は、長方形（矩形）の前板３５及び向板３６を有する。
【００３６】
これら各引き出し３は、家具構成品２における区分け板７によって区分けされた本体５の収納空間に差し込まれる。この引き出し３が差し込まれる収納空間、即ち、第一壁板部５１、第二壁板部５２、区分け板７によって画定された空間は、引き出し３の形状と対応する形状を有している。具体的に、第一引き出し３１が差し込まれる（配置される）収納空間では、第一方向の寸法と第二方向の寸法とが同じであり、第二引き出し３２が差し込まれる（配置される）収納空間では、第一方向の寸法と第二方向の寸法とが異なる。
【００３７】
第一引き出し３１は、前板３５と向板３６とが正方形であり、第一方向の寸法と第二方向の寸法とが同じ収納空間に差し込まれて使用されるため、該第一引き出し３１が配置されている家具構成品２が第一方向を上下方向に一致させて配置されても、第二方向を上下方向に一致させて配置されても、同じ収納空間（分割空間）に配置できる。一方、第二引き出し３２は、前板３５と向板３６とが長方形であり、第一方向の寸法と第二方向の寸法とが異なる収納空間に差し込まれて使用されるため、該第二引き出し３２が配置されている家具構成品２が横倒しにされる（即ち、第一方向を上下方向に一致させて配置された状態から、第二方向を上下方向に一致させて配置される）と、引き出し３２の開口方向が横向きになって使用できなくなるため、他の家具構成品２に配置して使用する。
【００３８】
本実施形態の組み立て家具１では、第一引き出し３１は、例えば、第一構成品２１の第２及び第３分割空間Ｓ２、Ｓ３、第三構成品２３の第１１分割空間Ｓ１１等に配置可能である（図５〜図１３参照）。また、第二引き出し３２は、第一構成品２１の第１及び第４分割空間Ｓ１、Ｓ４、第三構成品２３の第９及び第１０分割空間Ｓ９、Ｓ１０、第五構成品２５の第１５及び第１６分割空間Ｓ１５、Ｓ１６等に配置可能である（図５〜図１３参照）。
【００３９】
机４は、水平方向に広がる天板４１と、天板４１を支持する脚４２と、脚４２を補強するための補強部材（本実施形態の例では幕板）４３とを備える。また、机４は、引き出し４４を備える。この机４は、天板４１の高さが、組み合わされた状態の複数の複数の家具構成品２のいずれかの第一壁板部５１、第二壁板部５２、又は区分け板７の高さと同じである（図１〜図４参照）。本実施形態の机４の天板４１の高さ（机４の設置面から天板４１の上面までの高さ）は、例えば、７６０ｍｍである。
【００４０】
以上のように構成される複数の家具構成品２、引き出し３、及び机４は、例えば、図１〜図４に示すように組み合わせ（配置）した状態で使用される。
【００４１】
以上の組み立て家具１によれば、複数の家具構成品２のそれぞれを第一方向又は第二方向が上下方向と一致するような姿勢で配置して組み合わせることで、各家具構成品２の姿勢の違いにより収納空間（分割空間Ｓ１〜Ｓ１６）の形状等が変更され、また、前記姿勢の違いにより区分け板７が棚板となったり仕切り板となったりするため、収納スペースのレイアウトを容易に変更することができる（即ち、収納スペースのレイアウトの自由度が向上する）。
【００４２】
本実施形態の組み立て家具１では、収納スペースのレイアウトの自由度をより向上させるために、複数（本実施形態の例では五つ）の家具構成品２のうちの少なくとも一つ（本実施形態の例では、三つ）の家具構成品２の本体５において、第一方向の外寸Ｌ１１、Ｌ３１、Ｌ５１が、第二方向の外寸Ｌ１２、Ｌ３２、Ｌ５２と異なっている。即ち、少なくとも一つの家具構成品２（本実施形態の例では、第一、第三、第五構成品２１、２３、２５）の本体５が長方形の外観（輪郭）を有している。
【００４３】
また、本実施形態の組み立て家具１では、複数の家具構成品２の各本体５が、第一壁板部５１同士又は第一壁板部５１と第二壁板部５２とが接するように組み合わされたときの当該複数の家具構成品全体（本実施形態では棚２０）の輪郭が四角形となるような第一方向の外寸と第二方向の外寸とを有している（図１０〜図１３参照）。即ち、本実施形態の組み立て家具１では、五つの家具構成品２１〜２５の本体５のそれぞれが、異なる外寸を有しているが、組み合わされたときの複数の家具構成品全体（棚２０）の輪郭を四角形にすることができる。このように、本実施形態の組み立て家具１は、複数の家具構成品２（本体５）を組み合わせて（即ち、並べたり積み上げたりして）使用されるが、上記の構成によれば、通常の家具（棚等）と同様に、外観（複数の家具構成品全体（棚２０）の輪郭）が四角形の家具として使用することができる。
【００４４】
また、本実施形態の組み立て家具１において、複数の家具構成品２は、第一方向が上下方向に一致するように配置した状態で引き出し３が配置可能な家具構成品２（本実施形態の例では第一、第三構成品２１、２３）と、第二方向が上下方向に一致するように配置した状態で引き出し３が配置可能な家具構成品２（本実施形態の例では第一、第三、第五構成品２１、２３、２５）と、を含んでいる。
【００４５】
かかる構成によれば、複数の家具構成品２を配置したときに、いずれかの家具構成品２に引き出し３を配置することができる。即ち、第一方向が上下方向に一致するように配置された家具構成品２を第二方向が上下方向に一致するように配置（即ち、所定の家具構成品２（例えば、第一構成品２１）を横倒しに）したことで、該家具構成品２（例えば、第一構成品２１）に配置されていた引き出し３（例えば、第二引き出し３２）が使用できなくなっても、該引き出し３を他の家具構成品２（例えば、第四、第五構成品２４、２５）に配置して使用することができる。
【００４６】
即ち、本実施形態の組み立て家具１では、第二引き出し３２が配置可能な収納空間の第一方向の寸法と第二方向との寸法は異なっているが、このように、前板３５が長方形の引き出し３２であっても、該引き出し３２の配置された家具構成品（例えば、第三構成品２３）の姿勢を変えて該引き出し３２が使用できなくなっても、該引き出し３２を他の家具構成品（例えば、第一、第五構成品２１、２５）に配置して使用することができる。
【００４７】
本実施形態の組み立て家具１では、机４の天板４１の高さと、第一壁板部５１同士又は第一壁板部５１と第二壁板部５２とが接するように組み合わされた状態の複数の家具構成品２のいずれかの第一壁板部５１、第二壁板部５２、又は区分け板７の高さとが、同じである（図３参照）。
【００４８】
このため、机４の天板４１と、該天板４１と同じ高さの第一壁板部５１、第二壁板部５２、又は区分け板７と、が接するように複数の家具構成品２及び机４を配置することによって、机４上での作業スペースを、該机４の天板４１に接する第一壁板部５１、第二壁板部５２、又は区分け板７の広さ分だけ大きくすることができる。ここで、図２及び図４に示す配置例において、机４の天板４１と、第五構成品２５の第二壁板部５２とが同じ高さの場合には、引き出し３（詳しくは、第二引き出し３２）を収納空間から引き抜いた状態にすることで、上記効果が得られる。
【００４９】
尚、本発明の組み立て家具は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５０】
上記実施形態の組み立て家具１は、複数の家具構成品２と、少なくとも一つの引き出し３と、机４と、を備えているが、この構成に限定されない。組み立て家具１は、少なくとも複数の家具構成品２を備えていればよい。即ち、組み立て家具１において、引き出し３及び机４の少なくとも一方がなくてもよい。
【００５１】
上記実施形態の組み立て家具１では、複数の家具構成品２は、複数の家具構成品全体（上記実施形態の例では棚２０）の輪郭が四角形になるように配置されているが、この構成に限定されない。複数の家具構成品２は、前記輪郭が多角形（凹凸等が生じた形状）となるように配置されてもよい。即ち、複数の家具構成品２は、本体５同士が第一壁板部５１同士又は第一壁板部５１と第二壁板部５２とを接するように配置されればよい。
【００５２】
上記実施形態の組み立て家具１において、区分け板７は、第一方向と直交する面方向に広がる板状の部位、又は第二方向と直交する面方向に広がる板状の部位であるが、この構成に限定されない。複数の区分け板７のうちの一部の区分け板７は、本体５の開口方向から見て、屈曲、湾曲等していてもよく、第一及び第二方向に対して傾斜していてもよい。
【００５３】
上記実施形態の複数の家具構成品２のそれぞれは、背板６を有しているが、この構成に限定されない。複数の家具構成品２のうちの少なくとも一つの家具構成品２は、背板６のない構成であってもよい。
【００５４】
上記実施形態の複数の家具構成品２は、それぞれ異なる外寸を有しているが、この構成に限定されない。複数の家具構成品２のうちの一部の家具構成品２が同じ外寸（同じ外観）を有していてもよく、全ての家具構成品２が同じ外寸（外観）を有していてもよい。
【００５５】
上記実施形態の家具構成品２の数は、五つであるが、この構成に限定されない。家具構成品２の数は、二つ〜四つ、又は六つ以上でもよい。
【００５６】
組み立て家具１の引き出し３の数は、限定されない。上記実施形態の組み立て家具１の引き出しの数は、四つ（第一引き出し３１が二つ、第二引き出し３２が二つの計四つ）であるが、一つ〜三つ、五つ以上であってもよい。
また、上記実施形態の組み立て家具１における引き出し３の種類は、二種類であるが、一種類又は三種類以上であってもよい。
【００５７】
また、机４の引き出し４４が複数の家具構成品２のいずれかの収納空間（区分け板７によって区分けされた本体５の収納空間）に配置可能に、複数の家具構成品２のうちの少なくとも一つの家具構成品２が構成されてもよい。
【００５８】
また、机４の具体的な寸法は、限定されない。例えば、上記実施形態の机４の天板４１の高さは、該机４の接地面から７６０ｍｍ、天板４１の幅は、例えば、９５０ｍｍであるが、この構成に限定されず、前記高さ、幅等を種々変更してもよい。
【符号の説明】
【００５９】
１…組み立て家具、２…家具構成品、２０…棚、２１…第一構成品、２２…第二構成品、２３…第三構成品、２４…第四構成品、２５…第五構成品、３…引き出し、３１…第一引き出し、３２…第二引き出し、３５…前板、３６…向板（先板）、４…机、４１…天板、４２…脚、４３…補強部材、４４…引き出し、５…本体、５１…第一壁板部、５２…第二壁板部、６…背板、７…区分け板、７１…第一区分け板、７２…第二区分け板、Ｌ１１、Ｌ２１、Ｌ３１、Ｌ４１、Ｌ５１…第一方向の外寸、Ｌ１２、Ｌ２２、Ｌ３２、Ｌ４２、Ｌ５２…第二方向の外寸、Ｓ１〜Ｓ１６…第１〜第１６分割空間
【図１】
2017038675.tif 000003
【図２】
2017038675.tif 000004
【図３】
2017038675.tif 000005
【図４】
2017038675.tif 000006
【図５】
2017038675.tif 000007
【図６】
2017038675.tif 000008
【図７】
2017038675.tif 000009
【図８】
2017038675.tif 000010
【図９】
2017038675.tif 000011
【図１０】
2017038675.tif 000012
【図１１】
2017038675.tif 000013
【図１２】
2017038675.tif 000014
【図１３】
2017038675.tif 000015
【図１４】
2017038675.tif 000016
【図１５】
2017038675.tif 000017
【図１６】
2017038675.tif 000018